(57)【要約】【課題】洗い流し作業の必要が一切無く、したがって、ペットの分泌物の除去作業、あるいは車体等に付着の虫の死骸や鳥糞等の除去作業に供されて好適な、新規な清拭用液剤を提供する。【解決手段】本発明に係る清拭用液剤は、珪素体含有物が溶解された原料水に対して電気分解処理を施した際に陰極側に生成される、ｐＨ8.０以上、１3.０以下の珪素体含有のアルカリイオン水を含むものである。【選択図】なし【特許請求の範囲】
【請求項１】
ペットの分泌物の除去作業、あるいは車体や住宅の窓ガラス等に付着の虫の死骸や鳥糞等の除去作業に供される清拭用液剤であって、
清拭液剤が、珪素体含有物が溶解された原料水に対して電気分解処理を施した際に陰極側に生成される、ｐＨ8.０以上、１3.０以下の珪素体含有のアルカリイオン水を含むものであることを特徴とする清拭用液剤。
【請求項２】
前記アルカリイオン水に、保湿剤を配合してなることを特徴とする請求項１記載の清拭用液剤。
【発明の詳細な説明】
【技術分野】
【０００１】
本発明は、ペットの分泌物の除去作業、あるいは車体や住宅の窓ガラス等に付着の虫の死骸や鳥糞等の除去作業に供される清拭用液剤に関する。
【背景技術】
【０００２】
この種の清拭用液剤の従来例に、例えば特許文献１ないし４がある。特許文献１に係る清拭用液剤は、両性界面活性剤と茶葉抽出物を配合してなる。特許文献２に係る清拭用液剤は、界面活性剤にコラーゲンおよびキトサンを配合してなる。特許文献３に係る清拭用液剤は、陽イオン界面活性剤、両性界面活性剤、非イオン界面活性剤に、穀物の熱水抽出エキスを配合してなる。特許文献４に係る清拭用液剤は、両性界面活性剤、非イオン界面活性剤に、シリコーンオイルを含有してなる。これら各特許文献に記載の清拭用液剤を用いれば、界面活性剤に由来するタンパク質分解作用により、ペットの出す各種分泌物や、車体等に付着の虫の死骸や鳥糞などを良好に除去できるものと期待される。
【０００３】
【特許文献１】特開平４−１７８５７号公報
【特許文献２】特開平８−９９８６５号公報
【特許文献３】特開平８−１７５９０５号公報
【特許文献４】特開２００２−４７１０５号公報
【発明の開示】
【発明が解決しようとする課題】
【０００４】
上記各特許文献１ないし４に記載の清拭用液剤の問題は、界面活性剤を必須構成要素としているために、該清拭用液剤を用いた除去作業後に、水等を用いた界面活性剤の洗い流し作業を行うことが不可欠であり、当該洗い流し作業が煩わしく、実用利便性が悪いことにある。すなわち、ペットの口腔部、鼻孔部、耳（特に内耳部）および肛門部などに付着の分泌物に対する除去作業を行ったあとに、さらに当該部位に対して水等で界面活性剤の洗い流し作業を行うことは非常に煩わしく、しかも困難な作業であった。加えて、ペットとは言え、口腔部等に付着の界面活性剤をそのままにしておくことは、安全上問題がある。さらに、洗い流し作業を要することなく、車体等に付着の虫の死骸や鳥糞などに対する清拭作業を進めることができれば、これは実用利便上、非常に有用なものであると言える。
【０００５】
本発明は上述のような問題を解決するためになされたものであり、その目的は、洗い流し作業の必要が一切無く、したがって、ペットの分泌物の除去作業、あるいは車体等に付着の虫の死骸や鳥糞等の除去作業に供されて好適な、新規な清拭用液剤を提供することにある。
【課題を解決するための手段】
【０００６】
本発明は、ペットの分泌物の除去作業、あるいは車体や住宅の窓ガラス等に付着の虫の死骸や鳥糞等の除去作業に供される清拭用液剤である。そして、この清拭用液剤が、珪素体含有物が溶解された原料水に対して電気分解処理を施した際に陰極側に生成される、ｐＨ8.０以上、１3.０以下の珪素体含有のアルカリイオン水を含むものであることを特徴とする。
【０００７】
ここで言う「ペットの分泌物」とは、犬猫等のペットが出す、汗、皮質、耳垢、目脂、糞尿、ふけ垢等の各種老廃物を意味する。「車体等」とは、特に、車のフロントガラス、ボンネット等を意味する。尤も、本発明に係る清拭用液剤の清拭対象は、車体や住宅の窓ガラスに限られないことは言うまでもなく、請求項１において、「窓ガラス等」としたこともそのような理由に拠る。
【０００８】
本発明における原料水としては、ミネラル水、鉱泉水などを挙げることができる。精製水、蒸留水、水道水の他、日本薬局法の常水であってもよい。これら原料水には、導電性を改善することを目的として、食塩や天然海水塩などの補助電解質を添加することができる。天然海水塩を添加すると、それに含まれるミネラル分に由来するミネラル特性の向上が期待できる。また、センブリエキスやトウガラシチンキ、ショウキョウ（生姜）チンキ、セファランチン、ランジック酸、ニンジンエキス、カシュウエキスなどの各種の植物エキスを原料水に配合してもよい。
【０００９】
本発明における電気分解処理方法は、例えば１９６５年に薬事認可された家庭用アルカリイオン整水器や一般工業用電解水製造機を用いて行うことができる。この電気分解処理の方法は、バッチ式であるか連続式であるかを問わない。電解電圧値などの各種電解処理条件も問わない。但し、電気分解処理を複数回繰り返して行うことにより、強アルカリ性を示すアルカリイオン水を得ることができる。
【００１０】
ここで言う珪素体含有物とは、タルク、マイカ、カオリンなどの所謂粘土鉱物のほか、珊瑚、貝殻などの生物由来の天然系物質を挙げることができる。タルクの組成は、含水珪酸マグネシウム（Ｍｇ3 Ｓｉ4 Ｏ10（ＯＨ）2 ）で表され、通常微細な結晶の緻密塊または葉状粗晶の集合塊をなしている。マイカは、成分的に多くの種類があるカリ雲母に属する白雲母で、その化学式は一般的にＫＡｌ2 （Ｓｉ3 Ａｌ）Ｏ10（ＯＨ）2 表される。カオリンは含有珪酸アルミニウム（Ａｌ2 ＳｉＯ5 （ＯＨ）4 ）であり、結晶度の高いものは規則正しい六角状を示すが、結晶度の低いものは微細な不整板状である。珊瑚、貝殻なども珪素を含有しているため、本発明における珪素体含有物として適用でき、これらは細かく粉砕してから原料水に溶解させる。
【００１１】
珪素体含有物を溶解してなる原料水に対して、多孔質膜で陰極と陽極とを分離しながら電気分解処理を施すと、陰極側では水の還元反応により水酸化物イオンと水素とが発生する。水に含まれていたミネラル成分（陽イオン）は陰極側に引き寄せられる。珪素体含有物の一部は、イオン状シリカとなって、陰極側に引き寄せられる。植物エキスを配合した場合には、その陽イオン成分が陰極側に引き寄せられる。陰極側の液成分を静止沈殿させた上澄み液が、本発明における珪素体含有のアルカリイオン水である。
【００１２】
以上のような電気分解処理により得られるアルカリイオン水は、電気分解条件により差があるが、概ね９〜１１程度のｐＨ値を示す。また、電気分解処理を複数回にわたって繰り返して実施することにより、ｐＨ値１１以上の強アルカリのイオン水を得ることができる。
【００１３】
なお、以上のようにして得られるアルカリイオン水に含まれる珪素体の総量は、そのｐＨ値が１３であるとき、３００mg／Ｌ程度である。ここで珪素体の総量とは、ＪＩＳ  Ｋ  ０１０１の全シリカの欄に準じて測定された値をいい、具体的には水中のシリカを全てイオン状に変えた後、モリブデン黄吸光光度法、モリブデン青吸光光度法又は重量法で測定される。それ以外に、珪素体の総量は、溶存及びコロイド状シリカの総量と、イオン状シリカの総量とを合計して求めてもよい。ここで溶存及びコロイド状シリカとは、試料をろ過したとき、ろ液に含まれるシリカをいい、その総量は、試料をろ過し、炭酸水素ナトリウムを加え、煮沸してシリカをイオン状とした後、モリブデン黄吸光光度法又はモリブデン青吸光光度法で定量して求めることができる。
【００１４】
イオン状シリカとは、七モリブデン酸六アンモニウムと反応して、ヘテロポリ化合物の黄色を生成するシリカをいい、その総量は、当該ヘテロポリ化合物の黄色の吸光度から求めることができる。本発明におけるアルカリイオン水には、そのｐＨ値が１３程度であるとき、１００mg／Ｌ程度のイオン状シリカが存在している。
【００１５】
これら清拭用液剤には、前記のアルカリイオン水に加えて保湿剤を配合することができる。当該保湿剤は、特にペットの分泌物の除去作業用の清拭用液剤に配合して好適である。かかる保湿剤の具体例としては、例えば、ポリエチレングリコール、ポリプロピレングリコール、１，３−ブチレングリコール、グリセリン、ジプロピレングリコール、カルボキシルビニールポリマー、キサンタムガム、グリコシドトレハロース等が挙げられるが、特にアルカリ性領域で安定性の良い、キサンタムガム、グリコシドトレハロースが好ましい。
【００１６】
さらに本発明に係る清拭用液剤には、アルコールを配合することができる。これによれば、アルカリイオン水の還元作用により、皮膚上に存在する菌の細胞壁を溶解させた状態で、アルコールの殺菌消毒作用が発揮されるので、今までアルコール単独では死滅させることができなかった芽胞菌に対しても、良好な殺菌消毒作用が得られる利点がある。清涼感の向上を図ることもできる。当該作用効果は、当該液剤をペットの分泌物の除去作業用の清拭用液剤として適用した場合に、良好に発揮されるものである。また、アルコールを配合することにより、経時的なｐＨ値の劣化をよく抑えることができることも、本発明者等は実験により確認している。
【００１７】
本発明に係る清拭用液剤は、ガーゼ、脱脂綿、不織布などに含浸させた形態で販売および使用に供することができる。すなわち、ウエットティッシュのような形態で販売に供すことができる。また、本発明に係る清拭用液剤を車体等に付着の虫の死骸や鳥糞などの除去作業用のクリーナーとする場合には、該液剤をプラスチック容器やガラス容器などに収納することができる。スプレー缶に収納してもよい。
【発明の効果】
【００１８】
本発明に係る珪素体含有のアルカリイオン水を主体とする清拭用液剤は、使用者やペットの皮膚を傷めることのない優れた安全性を有するとともに、分泌物や虫の死骸等に対する優れた洗浄作用を発揮する。より詳しくは、かかるアルカリイオン水は、ペットの皮膚細胞や使用者の手等の皮膚細胞には全く影響なく、ペットが出す各種分泌物（汗、皮質、耳垢、目脂、糞尿、ふけ垢等の各種老廃物）などの酸化変質タンパク質成分や酸化変質油脂成分だけを良好に反応溶解する、優れた洗浄作用を備えている。また、使用者の手等の皮膚細胞、あるいは車体や窓ガラス等には全く影響なく、虫の死骸や鳥糞などの酸化変質タンパク質成分等だけを良好に反応溶解する、優れた洗浄作用を備えている。何よりも、本発明に係る清拭用液剤は、界面活性剤を一切含まず、「水」を主体とするものであり、したがって除去作業後の界面活性剤の洗い流し作業が不用である点で実用利便上優れている。また、このアルカリイオン水が、経時的なｐＨ値の劣化が殆ど無く、長期にわたって安定した効能を発揮する点でも優れている。かくして、本発明に係る珪素体含有のアルカリイオン水は、ペットの分泌物の除去作業、あるいは車体や住宅の窓ガラス等に付着の虫の死骸や鳥糞等の除去作業に供される清拭用液剤として好適に使用できる。
【００１９】
本発明の珪素体含有のアルカリイオン水が、以上のような優れた洗浄作用を発揮する理由は定かでない。本発明者の推論としては、アルカリイオン水に含まれる多量の水酸化物イオンが、電気的に分泌物や虫の死骸等の酸化変質タンパク質成分や酸化変質油脂成分等からなる汚れと反応して、汚れを浮かすことができることに拠るものと考える。
【００２０】
ｐＨ値が長期にわたって安定するのは以下の理由に拠ると考える。すなわち、陰極の周辺で発生するＨ+ イオンが、水分子（Ｈ2 О）の酸素分子の酸素分子の外殻に取り付いて、安定したヒドロニウムイオン（Ｈ3 О+ ）となり、これが珪酸に強固に保持されることによって、共存しているОＨ- イオンが安定化し、その結果、非常に高いｐＨ値であっても劣化し難くなることに拠るものであると考える。
【００２１】
本発明において、珪素体含有のアルカリイオン水のｐＨ値が8.０以上、１3.０以下の範囲にあることが好ましいのは、ｐＨ値が8.０を下回ると、タンパク質等の分解作用が著しく不良となり、清拭用液剤として用をなさなくなること、およびｐＨ１３を超えるアルカリイオン水を得るためには、電気分解を何度も繰り返す必要があり、結果として清拭用液剤の製造コストの上昇を招くことにある。また、タンパク質等に対する分解作用を考慮すると、より好適なｐＨ値は、１０以上（１３以下）の範囲、さらに好ましくは、１１以上（１３以下）の範囲にあることが好ましい。
【００２２】
清拭用液剤に保湿剤を配合してあると、清拭した領域にしっとり感を与えることができるため、当該液剤をペットの分泌物の除去作業用の清拭用液剤として適用した場合に好適である。
【発明を実施するための最良の形態】
【００２３】
（眼刺激試験：安全性確認試験）
まず、本発明に係る清拭用液剤を構成するアルカリイオン水の安全性を確認するため、以下のような眼刺激試験を実施した。なお、当該試験は、日本食品分析センターに依頼して実施した。
【００２４】
珪素体含有物としての粘土鉱物の他に、天然海水塩をミネラル水に溶解し、これに対して複数回電気分解処理を施してｐＨ１2.５の珪素体含有のアルカリイオン水を得た。かかるアルカリイオン水を用いて、ウサギに対する眼刺激性試験（ＯＥＣＤ  Ｇｕｉｄｅｌｉｎｅｓ  ｆｏｒ  ｔｈｅ  Ｔｅｓｔｉｎｇ  ｏｆ  ｃｈｅｍｉｃａｌｓ  ４０５に準拠）を実施した。
【００２５】
具体的には、ウサギの片眼に、珪素体含有のアルカリイオン水を0.１ｍｌ点眼し、点眼後、１、２４、４８、７２時間後の角膜、虹彩、結膜などの観察を行った。その結果ウサギの眼に全く異常は認められず、したがって、当該アルカリイオン水が、安全上問題ないことが確認された。
【００２６】
（実施例１）
この実施例１では、ペットの耳に付着の耳垢を除去するための耳清拭液に、本発明の清拭用液剤を適用している。まず、珪素体含有物としての粘土鉱物の他に、天然海水塩をミネラル水に溶解し、これに対して複数回電気分解処理を施してｐＨ8.０の珪素体含有のアルカリイオン水を得た。次いで、かかる珪素体含有のアルカリイオン水にエタノールを、９0.０重量％（アルカリイオン水）：１０重量％（エタノール）の割合で配合して、これを耳清拭液（ｐＨ8.０）とした。
【００２７】
当該耳清拭液を含浸させたガーゼを用いて、ウサギの耳垢の除去作業（拭き取り作業）を行った。その結果、耳垢を良好に除去することができること、およびウサギの耳に全く異常が見られないことが確認できた。また、除去作業を行った人体手指にも、全く異常が見られないことを確認できた。
【００２８】
（実施例２）
この実施例２では、ペットの目に付着の涙焼けを除去するための涙焼け清拭液に、本発明の清拭用液剤を適用している。なお、ここで言う「涙焼け」とは、目脂が固まったものを意味する。
【００２９】
まず、珪素体含有物としての粘土鉱物の他に、天然海水塩をミネラル水に溶解し、これに対して複数回電気分解処理を施してｐＨ１2.５の珪素体含有のアルカリイオン水を得て、これを涙焼け清拭液とした（ｐＨ１2.５）。
【００３０】
当該涙焼け清拭液を含浸させたガーゼを用いて、ウサギの眼のまわりに付着の涙焼けに対する除去作業（拭き取り作業）を行った。その結果、涙焼けを良好に除去することができること、およびウサギの眼およびその周辺の皮膚に全く異常が見られないことが確認できた。また、除去作業を行った人体手指にも、全く異常が見られないことを確認できた。
【００３１】
（実施例３）
この実施例３では、ペットの肛門付近に付着の糞尿を除去するための、おしり清拭液に、本発明の清拭用液剤を適用している。まず、珪素体含有物としての粘土鉱物の他に、天然海水塩をミネラル水に溶解し、これに対して複数回電気分解処理を施してｐＨ１2.５の珪素体含有のアルカリイオン水を得た。次いで、かかる珪素体含有のアルカリイオン水に精製水を、９0.０重量％（アルカリイオン水）：１０重量％（精製水）の割合で配合して、これをおしり清拭液（ｐＨ１1.１）とした。
【００３２】
当該清拭液を含浸させたガーゼを用いて、ウサギの肛門付近に付着の糞尿の除去作業（拭き取り作業）を行った。その結果、糞尿を良好に除去することができること、およびウサギの肛門付近に全く異常が見られないことが確認できた。また、除去作業を行った人体手指にも、全く異常が見られないことを確認できた。
【００３３】
（実施例４）
この実施例４では、本発明に係る清拭用液剤を、ペットの肛門付近に付着の糞尿を除去するためのおしり清拭液に適用している。珪素体含有物としての粘土鉱物の他に、天然海水塩をミネラル水に溶解し、これに対して複数回電気分解処理を施してｐＨ１2.５の珪素体含有のアルカリイオン水を得た。次いで、かかる珪素体含有のアルカリイオン水に、保湿剤（キサンタムガム）および精製水を、５0.０重量％（アルカリイオン水）：0.２重量％（保湿剤）、４9.８重量％（精製水）の割合で配合して、これをおしり清拭液とした。
【００３４】
当該清拭液を含浸させたガーゼを用いて、ウサギの肛門付近に付着の糞尿の除去作業（拭き取り作業）を行った。その結果、糞尿を良好に除去することができること、およびウサギの肛門付近に全く異常が見られないことが確認できた。また、除去作業を行った人体手指にも、全く異常が見られないことを確認できた。
【００３５】
（実施例５）
この実施例５では、車のフロントガラスに付着の虫の死骸を除去するためのクリーナーに、本発明の清拭用液剤を適用している。まず、珪素体含有物としての粘土鉱物の他に、天然海水塩をミネラル水に溶解し、これに対して複数回電気分解処理を施してｐＨ１2.５の珪素体含有のアルカリイオン水を得て、これを車体用のクリーナー（ｐＨ１2.５）とした。
【００３６】
当該クリーナーを含浸させたガーゼを用いて、車のフロントガラスに付着の虫の死骸に対する除去作業（拭き取り作業）を行った。その結果、虫の死骸を除去することができること、除去作業を行った人体手指にも、全く異常が見られないことを確認できた。
【００３７】
（実施例６）
この実施例６では、車のフロントガラスに付着の虫の死骸を除去するためのクリーナーに、本発明の清拭用液剤を適用している。まず、珪素体含有物としての粘土鉱物の他に、天然海水塩をミネラル水に溶解し、これに対して複数回電気分解処理を施してｐＨ１2.２の珪素体含有のアルカリイオン水を得た。次いで、かかる珪素体含有のアルカリイオン水にエタノールを、９0.０重量％（アルカリイオン水）：１0.０重量％（エタノール）の割合で配合して、これをクリーナー（ｐＨ１2.２）とした。
【００３８】
当該クリーナーを含浸させたガーゼを用いて、車のフロントガラスに付着の虫の死骸に対する除去作業（拭き取り作業）を行った。その結果、虫の死骸を除去することができること、除去作業を行った人体手指にも、全く異常が見られないことを確認できた。